(57)【要約】  錠剤ケース（１００）は、複数の錠剤（１０）を収容した収容部（８）より１つの錠剤（１０）を受け容れるポケット（９）と、ポケット（９）内の錠剤（１０）を外部に取り出すための取出口（１１）を備える。錠剤ケース（１００）は、ユーザに操作されることによって、ポケット（９）の錠剤（１０）を取出口（１１）より取り出し不能な状態から取り出し可能な状態に変換させる操作部（例えば、錠剤取り出しボタン（４）及び錠剤トレイ（５））を備える。錠剤ケース（１００）は、操作部に対する移動操作に伴いポケット（９）内の錠剤（１０）から間接的又は直接的に押圧を受けて移動する移動部と、ポケット（９）内の錠剤（１０）が取り出し可能となったときと対応する移動部の位置まで移動部が移動したことを検出する検出部を備える。
2016042887.tif 000002
【特許請求の範囲】
【請求項１】
錠剤を複数収容可能な収容部を有するケース本体と、
前記収容部より１つの前記錠剤を受け容れることが可能なポケットと、
前記ポケット内の前記錠剤を外部に取り出すための取出口と、
ユーザにより前記ケース本体に対して相対的に移動操作されることによって、前記ポケット内の前記錠剤を前記取出口より取り出し不能な状態から取り出し可能な状態に変換させる操作部と、
前記操作部に対する移動操作に伴い、前記ポケット内の前記錠剤から間接的又は直接的に押圧を受けて移動する移動部と、
前記ポケット内の前記錠剤が前記取出口より取り出し可能となったときと対応する前記移動部の位置まで前記移動部が移動したことを検出する検出部と、
を備える錠剤ケース。
【請求項２】
前記操作部は、前記ポケット内の前記錠剤を押して前記取出口より取り出し可能な位置まで移動させ、
前記移動部は、少なくとも前記錠剤を介して前記操作部により押されて移動し、
前記操作部が前記錠剤を押す方向と、前記移動部が押される方向と、が互いに同じ方向である請求項１に記載の錠剤ケース。
【請求項３】
前記操作部は、前記ポケット内の前記錠剤を押して前記取出口より取り出し可能な位置まで移動させ、
前記操作部は、前記ポケット内の前記錠剤を押す平坦面を有し、
前記平坦面が前記錠剤を押す方向は、前記平坦面に対して直交する方向である請求項１又は２に記載の錠剤ケース。
【請求項４】
前記操作部は、
前記ユーザによって直接的又は間接的に前記移動操作される第１部分と、
前記第１部分との間に前記ポケットを形成する第２部分と、
を有し、
前記第１部分は、前記移動操作を受け付ける第１位置と、前記移動操作による移動後の位置である第２位置と、の間で移動可能とされ、
前記第２部分は、前記第１位置にある前記第１部分との間に前記ポケットを形成する第３位置と、前記第２位置にある前記第１部分との間に前記ポケットを形成する第４位置と、の間で移動可能とされ、且つ、前記第１部分に対して相対的に移動可能とされ、
前記第１部分及び前記第２部分がそれぞれ前記第１位置及び前記第３位置にあるときには、前記収容部から前記ポケットへ前記錠剤を受け容れ可能であるとともに、前記ポケットから前記取出口への前記錠剤の移動が規制され、
前記第１部分及び前記第２部分がそれぞれ前記第２位置及び前記第４位置にあるときには、前記ポケット内の前記錠剤が前記取出口に臨むとともに当該錠剤が前記取出口へ移動可能となり、
前記ポケットに前記錠剤が収容されている状態において、前記第１部分が前記第２位置へ移動操作されることにより、前記第２部分が前記錠剤を介して前記第１部分により押されて前記第４位置へ移動するとともに、当該第２部分の移動に伴う前記移動部の移動を前記検出部が検出し、
前記ポケットに前記錠剤が収容されていない状態においては、前記第１部分が前記第２位置へ移動操作されても、前記第２部分が前記第４位置まで移動しない請求項１乃至３の何れか一項に記載の錠剤ケース。
【請求項５】
前記第１位置から前記第２位置に向けた前記第１部分の前記移動操作の方向と、前記第３位置から前記第４位置に向けた前記第２部分の移動方向と、が互いに同じ方向であり、
前記第１部分が前記第１位置から前記第２位置へ移動する際に、前記第１部分と、前記ポケット内に保持された前記錠剤と、前記第２部分と、が互いに一体的に移動する請求項４に記載の錠剤ケース。
【請求項６】
当該錠剤ケースは、更に、前記第１部分を前記第２位置側から前記第１位置側へ付勢する付勢部を有し、
前記付勢部による付勢に従って前記第１部分が前記第２位置から前記第１位置へ移動する際には、前記第２部分が前記第１部分に伴って前記第４位置から前記第３位置へ移動し、前記ポケットに前記錠剤が収容されていない状態において前記第１部分が前記第２位置へ移動操作されても、前記第２部分が前記第４位置へ移動しないように、前記第１部分と前記第２部分とが相互に連結されている請求項４又は５に記載の錠剤ケース。
【請求項７】
前記第２部分が前記第４位置へ達した際に、前記第２部分を保持し、前記付勢部による付勢に従って前記第２部分が前記第３位置へ復帰すること並びに前記第１部分が前記第１位置へ復帰することを規制する復帰規制部と、
前記復帰規制部による前記第２部分の保持状態を解除する解除操作を行うための解除操作部と、
を有し、
前記解除操作によって前記復帰規制部による前記第２部分の保持状態が解除されると、  前記付勢部による付勢に従って前記第１部分が前記第２位置から前記第１位置へ移動するとともに、前記第２部分が前記第４位置から前記第３位置へ移動する請求項６に記載の錠剤ケース。
【請求項８】
前記復帰規制部は、前記第２部分に対して係合することによって、当該第２部分を保持する請求項７に記載の錠剤ケース。
【請求項９】
前記第１部分と前記第２部分とは、
可撓性の連結部を介して相互に連結されており、
前記ポケットに前記錠剤が収容されていない状態において、前記第１部分が前記第２位置へ移動操作されると、前記連結部が変形するとともに前記第１部分と前記第２部分との距離が縮まることにより、前記第２部分が前記第４位置まで移動しないように構成され、
前記第２部分が前記第４位置にある状態から、前記第１部分が前記第２位置から前記第１位置へ移動する際には、前記第１部分が前記連結部を介して前記第２部分を牽引することにより前記第２部分が前記第４位置から前記第３位置へ移動する請求項４乃至６の何れか一項に記載の錠剤ケース。
【請求項１０】
前記取出口を外部から遮蔽した第１状態と、前記取出口を外部に連通させる第２状態と、に変換可能な開閉蓋と、
前記開閉蓋に対して係合することによって前記開閉蓋を前記第１状態に維持させる係合機構と、
を備え、
前記第２部分は、前記第４位置に移動することにより、前記係合機構の係合状態を解除させて、前記開閉蓋を前記第２状態へ変換可能とさせる請求項９に記載の錠剤ケース。
【請求項１１】
前記操作部は、前記移動操作によって、前記ポケットに対して相対的に第１位置から第２位置へ移動させられる相対移動部を有し、
前記移動部は、前記相対移動部に対して揺動可能に、前記相対移動部に設けられたレバーであり、
前記第１位置は、前記収容部から前記ポケットへの前記錠剤の受け容れを許容させるとともに、前記相対移動部によって前記ポケットと前記取出口とを相互に遮蔽する位置であり、
前記第２位置は、前記移動操作による移動後の位置であり、且つ、前記相対移動部によって前記収容部と前記ポケットとを相互に遮蔽し、前記ポケット内の前記錠剤が前記取出口に臨むとともに当該錠剤が前記取出口へ移動可能な位置であり、
前記ポケットに前記錠剤が収容されている状態において、前記相対移動部が前記第１位置から前記第２位置へ移動させられることにより、前記レバーが前記錠剤により押されて揺動し、当該揺動が前記検出部により検出され、
前記ポケットに前記錠剤が収容されていない状態においては、前記相対移動部が前記第１位置から前記第２位置へ移動させられても、前記レバーが揺動しない請求項１に記載の錠剤ケース。
【請求項１２】
前記操作部は、前記ユーザにより押し込み操作されることにより、前記相対移動部を前記第１位置から前記第２位置側へ押し込む第２部分を備え、
当該錠剤ケースは、更に、前記第２部分の押し込み操作を許容する第１状態と、前記第２部分の押し込み操作を規制する第２状態と、に変換可能な操作規制部を備える請求項１１に記載の錠剤ケース。
【請求項１３】
前記操作部が前記移動操作される前の、前記ポケット内の前記錠剤を前記取出口より取り出し不能な状態において、前記ポケット及び前記収容部を当該錠剤ケースの外部から遮蔽する遮蔽部を有する請求項１乃至１２の何れか一項に記載の錠剤ケース。
【発明の詳細な説明】
【技術分野】
【０００１】
本発明は、錠剤ケースに関する。
【背景技術】
【０００２】
近年、患者が医師の指示通りに服薬したかどうかの管理（以下、服薬管理と称する）に関し、特許文献１乃至３には、錠剤がケースから取り出されたことを検出および記録する技術が記載されている。【０００３】
また、特許文献４、５には、錠剤を１つずつ取り出し可能な錠剤ケースについて記載されている。【０００４】
なお、特許文献１、６乃至９には、服薬の時間が到来したことを患者に報知することなどによって、患者が医師の指示通りに服薬することを補助する装置について記載されている。
【先行技術文献】
【特許文献】
【０００５】
【特許文献１】特開２０１４−０４２６９９号公報
【特許文献２】特開２００７−１７６５５９号公報
【特許文献３】特開２０１１−２００６７７号公報
【特許文献４】実用新案登録第３１５８４４３号公報
【特許文献５】実用新案登録第３０２８４２４号公報
【特許文献６】特開２００３−３１０７１５号公報
【特許文献７】特表２００５−５０００９９号公報
【特許文献８】実用新案登録第３１１４９６９号公報
【特許文献９】特表２００９−５３８１６９号公報
【発明の概要】
【発明が解決しようとする課題】
【０００６】
ところで、服薬管理などのためには、錠剤ケースから錠剤を１つずつ取り出すことができる構成と、錠剤が錠剤ケースから取り出されたときにその旨を検出する構成と、の両立が望まれる。【０００７】
本発明の目的は、錠剤を１つずつ取り出すことが可能であり、且つ、錠剤が取り出された場合にその旨を検出することが可能な錠剤ケースを提供することにある。
【課題を解決するための手段】
【０００８】
本発明は、
錠剤を複数収容可能な収容部を有するケース本体と、
前記収容部より１つの前記錠剤を受け容れることが可能なポケットと、
前記ポケット内の前記錠剤を外部に取り出すための取出口と、
ユーザにより前記ケース本体に対して相対的に移動操作されることによって、前記ポケット内の前記錠剤を前記取出口より取り出し不能な状態から取り出し可能な状態に変換させる操作部と、
前記操作部に対する移動操作に伴い、前記ポケット内の前記錠剤から間接的又は直接的に押圧を受けて移動する移動部と、
前記ポケット内の前記錠剤が前記取出口より取り出し可能となったときと対応する前記移動部の位置まで前記移動部が移動したことを検出する検出部と、
を備える錠剤ケースを提供する。
【発明の効果】
【０００９】
本発明によれば、錠剤ケースから錠剤を１つずつ取り出すことが可能であり、且つ、錠剤が取り出された場合にその旨を検出することが可能である。
【図面の簡単な説明】
【００１０】
上述した目的、およびその他の目的、特徴および利点は、以下に述べる好適な実施の形態、およびそれに付随する以下の図面によってさらに明らかになる。【００１１】
【図１】第１の実施形態に係る錠剤ケースを示す図であり、このうち（ａ）は斜視図、（ｂ）は平面図である。
【図２】第１の実施形態に係る錠剤ケースの平面図であり、チャイルドレジスタンスが解除された状態を示す。
【図３】第１の実施形態に係る錠剤ケースを示す図であり、このうち（ａ）は平面図、（ｂ）は（ａ）のＡ−Ａ線に沿った断面図、（ｃ）は（ａ）のＢ−Ｂ線に沿った断面図である。
【図４】第１の実施形態に係る錠剤ケースの錠剤取り出しボタンの動作を説明するための図であり、（ａ）及び（ｂ）は、それぞれ図３（ａ）のＣ−Ｃ線に沿った断面図である。
【図５】第１の実施形態に係る錠剤ケースから錠剤を取り出す動作の流れを示す図である。
【図６】第１の実施形態に係る錠剤ケースから錠剤を取り出す動作の流れを示す図である。
【図７】第１の実施形態に係る錠剤ケースの検出部による検出動作を説明するための斜視図である。
【図８】第２の実施形態に係る錠剤ケースを示す図であり、このうち（ａ）は斜視図、（ｂ）は平面図である。
【図９】第２の実施形態に係る錠剤ケースから錠剤を取り出す動作の流れを示す図である。
【図１０】第２の実施形態に係る錠剤ケースから錠剤を取り出す動作の流れを示す図である。
【図１１】第３の実施形態に係る錠剤ケースを示す図であり、このうち（ａ）及び（ｂ）は錠剤ケースの斜視図、（ｃ）は操作部材の平面図である。
【図１２】第３の実施形態に係る錠剤ケースから錠剤を取り出す動作の流れを示す図である。
【図１３】第４の実施形態に係る錠剤ケースを示す斜視図である。
【図１４】第４の実施形態に係る錠剤ケースから錠剤を取り出す動作の流れを示す図である。
【発明を実施するための形態】
【００１２】
以下、本発明の実施形態について、図面を用いて説明する。なお、すべての図面において、同様の構成要素には同一の符号を付し、適宜に説明を省略する。
【００１３】
〔第１の実施形態〕
図１は第１の実施形態に係る錠剤ケース１００を示す図であり、このうち（ａ）は斜視図、（ｂ）は平面図である。
図２は第１の実施形態に係る錠剤ケース１００の平面図であり、チャイルドレジスタンスが解除されて錠剤取り出しボタン４が突出した状態を示す。
なお、図１（ｂ）及び図２では、第１筐体部材１を透視させて錠剤ケース１００の内部構造を示している。
図３は第１の実施形態に係る錠剤ケース１００を示す図であり、このうち（ａ）は平面図、（ｂ）は（ａ）のＡ−Ａ線に沿った断面図、（ｃ）は（ａ）のＢ−Ｂ線に沿った断面図である。
図４は第１の実施形態に係る錠剤ケース１００の錠剤取り出しボタン４の動作を説明するための図であり、（ａ）及び（ｂ）は、それぞれ図３（ａ）のＣ−Ｃ線に沿った断面図である。このうち図４（ａ）は錠剤取り出しボタン４が押されていない状態を示し、図４（ｂ）は錠剤取り出しボタン４が押された状態を示す。
図５（ａ）〜（ｃ）及び図６（ａ）〜（ｃ）は第１の実施形態に係る錠剤ケース１００から錠剤１０を取り出す動作の流れを示す図である。
図７（ａ）〜（ｅ）は第１の実施形態に係る錠剤ケース１００の検出部（検出センサ１６）による検出動作を説明するための斜視図であり、検出動作に関連する構成を抽出して示している。
【００１４】
本実施形態に係る錠剤ケース１００は、ユーザの操作により錠剤１０を１つずつ外部に取り出すことが可能な錠剤ケース１００である。
錠剤ケース１００は、錠剤１０を複数収容可能な収容部８を有するケース本体１２と、収容部８より１つの錠剤１０を受け容れることが可能なポケット９と、ポケット９内の錠剤１０を外部に取り出すための取出口１１と、を備える。
錠剤ケース１００は、更に、ユーザによりケース本体１２に対して相対的に移動操作されることによって、ポケット９内の錠剤１０を取出口１１より取り出し不能な状態から取り出し可能な状態に変換させる操作部を備える。本実施形態の場合、操作部は、例えば、錠剤取り出しボタン４及び錠剤トレイ５により構成される。
錠剤ケース１００は、更に、操作部に対する移動操作に伴い、ポケット９内の錠剤１０から間接的又は直接的に押圧を受けて移動する移動部（例えば、移動部材１５（図７））を備える。
錠剤ケース１００は、更に、ポケット９内の錠剤１０が取出口１１より取り出し可能となったときと対応する移動部の位置まで移動部が移動したことを検出する検出部（検出センサ１６（図７）を備える。
【００１５】
したがって、ポケット９に錠剤１０が収容されている状態において、取出口１１からの錠剤１０の取り出しのために操作部に対する操作がなされた場合は、移動部が錠剤１０から押圧を受けて移動し、その移動が検出部によって検出される。
よって、錠剤１０が取り出された場合に、錠剤１０の取り出しを検出することが可能である。
【００１６】
一方、ポケット９に錠剤１０が収容されていない状態においては、操作部に対する操作がなされても、移動部が錠剤１０から押圧を受けないため、当該移動部が移動しないので、検出部はその移動を検出しない。
換言すれば、操作部に対する操作がなされても錠剤１０が取出口１１へ取り出されなかった場合には、検出部は錠剤１０の取り出しを検出しないように構成されている。
よって、錠剤１０が取り出された場合にのみ、錠剤１０の取り出しを検出することが可能である。
【００１７】
以下、詳細に説明する。
【００１８】
図１（ａ）、図３（ｂ）、図３（ｃ）等に示すように、ケース本体１２は、例えば、第１筐体部材１と第２筐体部材２とを含む複数の部材を相互に組み付けることにより、扁平な形状に形成されている。図１（ｂ）に示すように、ケース本体１２は、例えば、平面視においてほぼ長方形状に形成されている。ただし、ケース本体１２の形状は、この例に限らない。
【００１９】
第１筐体部材１は、平面視長方形状の扁平な形状に形成され、その一方の面には一定の深さの浅い凹部１ｄが形成されている。第２筐体部材２は第１筐体部材１の凹部１ｄの開口端を塞ぐ蓋体である。凹部１ｄと第２筐体部材２とによって囲まれた領域により、扁平な収容部８（図１（ｂ）、図２、図３（ｃ））が形成されている。
【００２０】
収容部８には、複数の錠剤１０を収容可能となっている。
ここで、収容部８に収容される錠剤１０は、例えば、平面形状が円形で、その直径よりも厚みが小さい扁平な形状をなしている。
錠剤１０は、各錠剤１０の厚み方向と、ケース本体１２の厚み方向とが相互に一致する姿勢で、収容部８に収容される。ケース本体１２の厚み方向における収容部８の寸法は、収容部８に収容される錠剤１０の厚みよりも若干大きい程度の寸法に設定されている。このため、収容部８内の錠剤１０が、ケース本体１２の厚み方向に対して当該錠剤１０の厚み方向が垂直の姿勢となってしまうことが抑制されている。
ケース本体１２を傾けることにより、収容部８内において錠剤１０がその自重によって移動できるようになっている。
【００２１】
図１、図２、図４等に示すように、ケース本体１２には、錠剤取り出しボタン（操作部の第１部分）４が設けられている。本実施形態の場合、操作部の第１部分は、ユーザによって直接的に移動操作される部分である。
錠剤取り出しボタン４は、その一部分がケース本体１２の内部に収容され、その一部分がケース本体１２の外部に（図２の矢印Ｂ方向に）突出している。
より具体的には、例えば、錠剤取り出しボタン４は、ケース本体１２の一方の端面１２ｂに沿って配置され、その一部分がケース本体１２の一方の側面１２ａより突出している。
なお、端面１２ｂと側面１２ａとは、互いに交差（例えば互いに直交）している。
ユーザによる錠剤１０の取り出し操作は、錠剤取り出しボタン４を矢印Ａ方向に押し込むことによってなされる。
【００２２】
図２に示すように、ケース本体１２内には、錠剤トレイ（操作部の第２部分）５が設けられている。
【００２３】
錠剤取り出しボタン４においてケース本体１２の内部に位置する部分と、錠剤トレイ５とは、第１筐体部材１に形成された溝１ａに収容されている。溝１ａは、ケース本体１２の端面１２ｂに沿って、第１筐体部材１の一端部に形成されている。
錠剤取り出しボタン４は、この溝１ａによってガイドされて、この溝１ａの長手方向（図２の左右方向（矢印Ａ方向及び矢印Ａ方向に対する反対方向である矢印Ｂ方向））に移動可能となっている。
また、錠剤トレイ５は、溝１ａと後述するリブ１ｂとによってガイドされて、溝１ａの長手方向に移動可能となっている。
より具体的には、例えば、錠剤取り出しボタン４及び錠剤トレイ５は、それぞれ直線状に移動可能となっている。
なお、第２筐体部材２は、錠剤取り出しボタン４及び錠剤トレイ５が溝１ａから図２の紙面の手前側へ脱落することを規制している。
【００２４】
錠剤取り出しボタン４には、図２における左右方向に延在するスリット４ａが形成されている。錠剤取り出しボタン４は、スリット４ａの左端を閉塞する被係止部４ｂと、後述するバネ１３の一端部を受ける受部４ｃ（図４）と、を有する。
【００２５】
錠剤トレイ５は、本体部５ａと、本体部５ａに対して図２における右方に離間して配置された第１係止部５ｂと、第１係止部５ｂと本体部５ａとを相互に連結しているトレイ部５ｃと、本体部５ａに形成された第２係止部５ｄと、を有する。
【００２６】
錠剤トレイ５の第１係止部５ｂは、トレイ部５ｃにおける右端部より、ケース本体１２の厚み方向手前側（図２の紙面において手前側）に向けて起立した柱状の部分であり、錠剤取り出しボタン４のスリット４ａに挿入されている。これにより、錠剤取り出しボタン４と錠剤トレイ５とが、相互に連結されている。
【００２７】
ここで、錠剤取り出しボタン４と錠剤トレイ５とは、錠剤取り出しボタン４が一方向（矢印Ｂ方向）に移動するときに、錠剤トレイ５が錠剤取り出しボタン４に連動するような態様で連結されている。
すなわち、錠剤取り出しボタン４が後述するバネ１３の付勢に従って矢印Ｂ方向に移動するときには、第１係止部５ｂと被係止部４ｂとが相互に係合した状態で、錠剤取り出しボタン４の移動に追従して錠剤トレイ５が矢印Ｂ方向に移動する。
一方、ポケット９内に錠剤１０が存在しないときに、錠剤取り出しボタン４が矢印Ａ方向に移動すると、第１係止部５ｂと被係止部４ｂとの係合が外れて、第１係止部５ｂがスリット４ａ内で錠剤取り出しボタン４に対して相対的に矢印Ｂ方向に移動し、錠剤トレイ５は錠剤取り出しボタン４に伴って矢印Ａ方向には移動しない。
【００２８】
錠剤トレイ５には、図２における錠剤トレイ５の左端から右方に向かって延在するスリット５ｅが、本体部５ａからトレイ部５ｃに亘って形成されている。本体部５ａにおいてスリット５ｅにより分断された２つの部分のうち、一方の部分（例えば、図２の上側部分）には、第２係止部５ｄが形成されている。
第２係止部５ｄは、本体部５ａの当該一方の部分の先端部（図２における左端）に形成されている。第２係止部５ｄは、本体部５ａにおいてスリット５ｅにより分断された２つの部分のうち他方の部分の方に向けて（図２の矢印Ｅ方向に向けて）突出した突起状の部分である。
本体部５ａの当該一方の部分において、第２係止部５ｄよりも基端側の部分は、図２の矢印Ｄ方向に弾性変形可能なバネ部５２となっている。矢印Ｄ方向は矢印Ｅ方向に対する反対方向である。
なお、矢印Ａ方向、矢印Ｂ方向、矢印Ｄ方向及び矢印Ｅ方向は、互いに同一平面に含まれる方向であり、矢印Ｄ方向及びＥ方向は、矢印Ａ方向及びＢ方向に対して直交している。
【００２９】
第１筐体部材１には、ケース本体１２の厚み方向に起立し、且つ、図２の左右方向に延在するリブ１ｂが形成されている。リブ１ｂは、錠剤トレイ５のスリット５ｅに挿入されており、溝１ａとの協働により錠剤トレイ５を図２の左右方向にガイドしている。
なお、錠剤トレイ５の第２係止部５ｄは、バネ部５２のバネ作用によって、リブ１ｂの一方の面に対して押しつけられている。
【００３０】
錠剤トレイ５のトレイ部５ｃは、本体部５ａよりも低段に形成されており、その上面（ケース本体１２の厚み方向における手前側の面）が凹部１ｄの底面と面一に配置されている。
錠剤トレイ５の本体部５ａの図２における右端面は、平坦な対向面５１となっている。一方、錠剤取り出しボタン４の図２における左端面は、平坦な対向面（平坦面）４１となっている。対向面４１と対向面５１とは、トレイ部５ｃの上方の空間（図２の紙面における手前側の空間）を介して相互にほぼ平行に対向している。なお、対向面４１及び対向面５１は、例えば、それぞれ矢印Ａ方向に対して直交している。
【００３１】
ここで、ポケット９は、対向面４１、対向面５１、トレイ部５ｃの上面及び第２筐体部材２の内面によって囲まれた空間により構成される略直方体形状の領域である。
換言すれば、錠剤取り出しボタン４の対向面４１と錠剤トレイ５の対向面５１との間にポケット９が形成されるようになっている。
ポケット９は、同時には１つのみの錠剤１０を収容可能な寸法及び形状に形成されている。
すなわち、図２の上下方向（矢印Ｄ、Ｅ方向）におけるポケット９の幅は、およそ錠剤１０一個分の幅（円形の錠剤１０の直径に相当）に設定されている。
同様に、図２の左右方向（矢印Ａ、Ｂ方向）におけるポケット９の幅は、およそ錠剤１０一個分の幅に設定されている。ただし、図２の左右方向におけるポケット９の幅は、錠剤１０一個分の幅よりも若干大きく、ポケット９内の錠剤１０と、対向面４１及び対向面５１との間に、若干の遊び（クリアランス）が存在することが好ましい。
【００３２】
ポケット９が図２の位置に存在しているとき、ポケット９は、収容部８と連通しており、収容部８内の錠剤１０を受け容れることが可能である。
すなわち、図２に示す状態で、収容部８よりもポケット９が下側に位置するように錠剤ケース１００を傾けることにより、１つの錠剤１０が収容部８からポケット９に流入し、該錠剤１０がポケット９内に保持されるようになっている（図６（ａ）参照）。
【００３３】
なお、対向面４１における収容部８側の端部は、収容部８からポケット９へ錠剤１０をスムーズに受け容れることができるように、丸め加工が施されている。
また、収容部８におけるポケット９側の端部は、図２の左右方向における幅がポケット９の幅と略等しく形成された流出口８ａとなっている。図２の状態で、収容部８の流出口８ａとポケット９とは、図２の上下方向において並び、流出口８ａからポケット９へ１つの錠剤１０をスムーズに供給可能となっている。
【００３４】
ポケット９が図２の位置に存在しているとき、ポケット９における収容部８側とは反対側の端部は、第１筐体部材１に形成された壁部１ｅによって閉塞されるようになっている。壁部１ｅは、ケース本体１２の厚み方向に突出し、且つ、端面１２ｂに沿って延在している。
【００３５】
壁部１ｅには、ポケット９内の錠剤１０を錠剤ケース１００の外部に取り出すための取出口１１が形成されている。取出口１１は、１つの錠剤１０が通過可能な幅に形成された開口部であり、端面１２ｂにおいて開口している。取出口１１は、図２の状態でのポケット９の位置よりも、矢印Ａ方向側にオフセットされた（例えば、およそ錠剤１０一個分だけ矢印Ａ方向側にオフセットされた）位置に形成されている。
【００３６】
リブ１ｂの右側の端部１ｃ（図２、図４）と、錠剤取り出しボタン４の受部４ｃ（図４）における左側の端面とは、互いにほぼ平行に対向している。そして、端部１ｃと受部４ｃとの間には、バネ（付勢部）１３（図３（ｂ）、図４（ａ）、（ｂ）参照）が介装されている。
バネ１３は、例えば、圧縮型のコイルスプリングであり、端部１ｃと受部４ｃとの間に圧縮状態で配置されている。これにより、錠剤取り出しボタン４は、バネ１３によって図２における右方に付勢されている。このため、後述するチャイルドレジスタンスが解除され、且つ、錠剤取り出しボタン４が押し込み操作されていない状態では、錠剤取り出しボタン４は、図２に示す位置に配置されるようになっている。
【００３７】
錠剤取り出しボタン４が矢印Ａ方向に押されることによって、錠剤取り出しボタン４はバネ１３の付勢に抗して矢印Ａ方向に移動する。
【００３８】
図２のようにポケット９に錠剤１０が収容及び保持されている状態で、錠剤取り出しボタン４が矢印Ａ方向に押されると、錠剤取り出しボタン４の対向面４１が、ポケット９内の錠剤１０を矢印Ａ方向に押す。
このとき、ポケット９内の錠剤１０は、錠剤トレイ５の対向面５１を押す。このため、錠剤トレイ５も矢印Ａ方向に移動する。
すなわち、錠剤取り出しボタン４、ポケット９内の錠剤１０、及び、錠剤トレイ５が、一体的に、矢印Ａ方向に移動する（図５（ｂ）、図５（ｃ）参照）。
【００３９】
ポケット９が図６（ｃ）の位置に存在しているとき、ポケット９が取出口１１と相互に連通した状態となり、ポケット９内の錠剤１０を取出口１１を介して外部に取り出すことができる。
なお、錠剤取り出しボタン４の操作に伴って、錠剤取り出しボタン４、ポケット９内の錠剤１０、及び、錠剤トレイ５が矢印Ａ方向に移動する際には、この錠剤１０の側周面は対向面４１と対向面５１とに挟持されている。ただし、図５（ｃ）の位置まで錠剤取り出しボタン４、ポケット９内の錠剤１０、及び、錠剤トレイ５を移動させた後、錠剤取り出しボタン４に対する押し込み操作を解除すると、錠剤取り出しボタン４は、僅かな遊びの分だけ、バネ１３の付勢によって矢印Ｂ方向に戻る。その際、錠剤トレイ５は、その第２係止部５ｄが以下に説明する係止部１ｆに対して係合した状態となっている。このため、錠剤トレイ５は実質的に矢印Ｂ方向に戻らない。よって、対向面４１と対向面５１の対向間隔が僅かに拡大するため、錠剤１０は対向面４１と対向面５１とに挟持されない状態となる。その結果、ポケット９内の錠剤１０を、その自重によって、取出口１１を介して外部に取り出すことができる。
【００４０】
錠剤ケース１００は、錠剤トレイ５が図６（ｃ）に示す位置まで矢印Ａ方向に移動したときに錠剤トレイ５を保持する復帰規制部を有している。
復帰規制部は、例えば、錠剤トレイ５の第２係止部５ｄに対して係合する係止部１ｆである。係止部１ｆは、例えば、リブ１ｂの図２における左端部に形成されている。係止部１ｆは、例えば、図２の矢印Ｄ方向に向けて突出した突起部である。錠剤トレイ５が図６（ｃ）に示す位置まで矢印Ａ方向に移動したときに、係止部１ｆが第２係止部５ｄに対して係合する。係止部１ｆに対して第２係止部５ｄが係合することによって、錠剤トレイ５及び錠剤取り出しボタン４は、係止部１ｆによって保持される。これにより、バネ１３の付勢に従って錠剤トレイ５及び錠剤取り出しボタン４が矢印Ｂ方向に移動することが規制される。
【００４１】
更に、錠剤ケース１００は、係止部１ｆによる錠剤トレイ５の保持状態を解除する解除操作を行うための解除操作部７を有する。
解除操作部７は、例えば、ケース本体１２に対して図２の矢印Ｅ方向及びＤ方向に移動可能に、ケース本体１２の側面１２ｃに設けられている。側面１２ｃは、側面１２ａに対して対向する側面である。
解除操作部７は、例えば、ケース本体１２の外側に位置しユーザに操作される操作部７ｂと、ケース本体１２内に位置する解除部７ａと、ケース本体１２の側面１２ｃを介して操作部７ｂと解除部７ａとを相互に連結している連結部７ｃと、を有している。
係止部１ｆに対して第２係止部５ｄが係合した状態（図６（ｃ）、図６（ｄ）、図５（ａ））において、解除操作部７を矢印Ｄ方向に移動させる操作を行うことにより、解除部７ａが第２係止部５ｄを矢印Ｄ方向に押す。これにより、バネ部５２が矢印Ｄ方向に弾性変形するとともに、第２係止部５ｄと係止部１ｆとの係合が解除される（図５（ｂ））。
これにより、錠剤トレイ５及び錠剤取り出しボタン４はバネ１３の付勢に従って矢印Ｂ方向に移動し、錠剤取り出しボタン４及び錠剤トレイ５は図５（ｃ）及び図２に示す位置に復帰する。なお、この復帰の際、錠剤トレイ５は錠剤取り出しボタン４に牽引されることにより矢印Ｂ方向に移動する。
【００４２】
ここで、錠剤トレイ５のバネ部５２は、第２係止部５ｄをリブ１ｂに対して押し付けているため、錠剤トレイ５は、第２係止部５ｄとリブ１ｂとの間の摩擦力に抗して移動する。従って、錠剤トレイ５が図５（ｂ）に示す位置から図５（ｃ）及び図２に示す位置に復帰した後、錠剤トレイ５が勢い余って図５（ｃ）及び図２に示す位置を超えて矢印Ｂ方向に移動すること、すなわち、ポケット９の幅が図５（ｃ）及び図２に示す幅よりも狭くなってしまうことが抑制されるようになっている。
よって、ポケット９は、図５（ｃ）及び図２に示す位置に復帰した後、次の錠剤１０をスムーズに受け容れることができる。
【００４３】
なお、錠剤取り出しボタン４がユーザによりケース本体１２に対して相対的に矢印Ａ方向に移動操作される前の、ポケット９内の錠剤１０を取出口１１より取り出し不能な状態（図２）において、ポケット９における矢印Ｅ方向側の端部は、壁部１ｅにより遮蔽されるようになっている。
すなわち、錠剤ケース１００は、操作部（錠剤取り出しボタン４）が移動操作される前の、ポケット９内の錠剤１０を取出口１１より取り出し不能な状態において、ポケット９及び収容部８を錠剤ケース１００の外部から遮蔽する遮蔽部（壁部１ｅ）を有する。つまり、壁部１ｅは、錠剤ケース１００の内部（ポケット９及び収容部８）を外部から遮蔽する。
このため、壁部１ｅによって、錠剤ケース１００の内部（ポケット９及び収容部８）へのゴミやホコリ等の異物の侵入を抑制することができる。
【００４４】
以下の説明では、図２、図５（ｃ）及び図６（ａ）に示される錠剤取り出しボタン４の位置を、第１位置と称する。第１位置にある錠剤取り出しボタン（第１部分）４は、ユーザによる移動操作を受け付ける状態となっている。
一方、図１（ｂ）、図５（ａ）、図６（ｃ）及び図６（ｄ）に示される錠剤取り出しボタン４の位置を、第２位置と称する。第２位置は、錠剤取り出しボタン４に対する移動操作による移動後の位置である。
すなわち、錠剤取り出しボタン４は、第１位置と第２位置との間で移動可能となっている。
また、図２、図５（ｃ）及び図６（ａ）に示される錠剤トレイ５の位置を、第３位置と称する。
一方、図１（ｂ）、図５（ａ）、図６（ｃ）及び図６（ｄ）に示される錠剤トレイ５の位置を、第４位置と称する。
すなわち、錠剤トレイ５は、第３位置と第４位置との間で移動可能となっている。
錠剤トレイ５が第３位置にあるとき、錠剤トレイ５は第１位置にある錠剤取り出しボタン４との間にポケット９を形成する。
錠剤トレイ５が第４位置にあるとき、錠剤トレイ５は第２位置にある錠剤取り出しボタン４との間にポケット９を形成する。
なお、錠剤トレイ５は、錠剤取り出しボタン４に対して相対的に移動可能となっている。
【００４５】
図２に示すように、錠剤取り出しボタン４及び錠剤トレイ５がそれぞれ第１位置及び第３位置にあるときには、収容部８からポケット９へ錠剤１０を受け容れ可能であるとともに、ポケット９から取出口１１への錠剤１０の移動が規制された状態となる。
一方、図６（ｃ）に示すように、錠剤取り出しボタン４及び錠剤トレイ５がそれぞれ第２位置及び第４位置にあるときには、ポケット９内の錠剤１０が取出口１１に臨むとともに当該錠剤１０が取出口１１へ移動可能な状態となる。
【００４６】
図６（ａ）に示すようにポケット９に錠剤１０が収容されている状態において、錠剤取り出しボタン４が第２位置へ移動操作されることにより（図６（ｂ）、図６（ｃ））、錠剤トレイ５が錠剤１０を介して錠剤取り出しボタン４により押されて第４位置へ移動するとともに、錠剤トレイ５が第４位置まで移動したことを検出センサ１６（後述）が検出するようになっている。
一方、ポケット９に錠剤１０が収容されていない状態においては、錠剤取り出しボタン４が第２位置へ移動操作されても、錠剤トレイ５が第４位置まで移動しないことにより当該錠剤トレイ５の移動が検出センサ１６により検出されないようになっている。
すなわち、検出センサ１６は、錠剤１０が取り出された場合にのみその旨を検出するようになっている。
【００４７】
ここで、第１位置から第２位置に向けた錠剤取り出しボタン４の移動操作の方向と、第３位置から第４位置に向けた錠剤トレイ５の移動方向とは、互いに同方向（矢印Ａ方向）となっている。
そして、錠剤取り出しボタン４が第１位置から第２位置へ移動する際に、錠剤取り出しボタン４と、ポケット９内に保持された錠剤１０と、錠剤トレイ５と、が互いに一体的に移動する。
【００４８】
次に、錠剤１０の取り出し動作を詳細に説明する。なお、錠剤ケース１００の収容部８には、予め、複数の錠剤１０が収容されているものとする。
【００４９】
初期状態では、図５（ａ）に示すように、錠剤取り出しボタン４が第２位置まで押し込まれ、第２係止部５ｄが係止部１ｆに対して係止している。よって、錠剤取り出しボタン４及び錠剤トレイ５の復帰が規制されている。すなわち、子供が誤って錠剤１０を取り出してしまうことが抑制された状態（チャイルドレジスタンス機能が有効な状態）である。なお、この状態では、ケース本体１２からの錠剤取り出しボタン４の突出量が非常に小さいため、デザイン的にもシンプルであるとともに、サイズもコンパクトであるため、持ち運びや収納にも適している。
【００５０】
その後、錠剤ケース１００から錠剤１０を取り出すときには、ユーザは、解除操作部７を矢印Ｄ方向に操作することによって、係止部１ｆに対する第２係止部５ｄの係合状態を解除する（図５（ｂ））。すると、錠剤取り出しボタン４及び錠剤トレイ５はバネ１３の付勢に従って矢印Ｂ方向に移動し、図５（ｃ）に示す位置（第１位置、第２位置）に移動（復帰）する。
図５（ｃ）に示す状態においては、錠剤取り出しボタン４及び錠剤トレイ５がそれぞれ第１位置及び第３位置にあり、収容部８の流出口８ａとポケット９とが  図５（ｃ）の上下方向において並んだ状態となっている。
【００５１】
次に、収容部８よりも下側にポケット９が位置するように、錠剤ケース１００を傾ける。これにより、図６（ａ）に示すように、１つの錠剤１０をポケット９に受け容れさせ、該ポケット９によって錠剤１０を保持させる。このとき、ポケット９における収容部８側とは反対側の端部は、壁部１ｅによって塞がれているため、ポケット９からの錠剤１０の脱落が規制される。
【００５２】
なお、以下の説明において、取り出し動作により取り出される錠剤１０を錠剤１０ａと称する。また、この錠剤１０ａに続いて流出口８ａで待機している錠剤１０（後続の錠剤１０）を錠剤１０ｂと称する。
【００５３】
次に、錠剤取り出しボタン４を矢印Ａ方向に押し込む（図６（ｂ）、図６（ｃ））。この際、錠剤取り出しボタン４と、ポケット９内の錠剤１０ａと、錠剤トレイ５とが一体的に矢印Ａ方向に移動する。このとき、錠剤取り出しボタン４によって収容部８とポケット９とが相互に仕切られるため、後続の錠剤１０ｂが流出口８ａに存在する場合は、当該錠剤１０ｂが錠剤取り出しボタン４に支えられて流出口８ａに保持される。
【００５４】
そして、錠剤取り出しボタン４及び錠剤トレイ５がそれぞれ第２位置及び第４位置に達するまで錠剤取り出しボタン４を矢印Ａ方向に押し込むことにより、第２係止部５ｄが係止部１ｆに対して係合し、錠剤トレイ５及び錠剤取り出しボタン４が係止部１ｆによって保持される（図６（ｃ））。
それと同時に、ポケット９内の錠剤１０ａが、取出口１１に臨んだ状態となるとともに、錠剤１０ａが取出口１１へ移動可能となる。
よって、錠剤１０ａが取出口１１を介して錠剤ケース１００の外部へ取り出される。具体的には、錠剤１０ａは、その自重によって、ポケット９から取出口１１を介して流下ないしは落下し、錠剤ケース１００の外部に取り出される（図６（ｄ））。
【００５５】
なお、ユーザは、例えば、片方の手で錠剤ケース１００を把持するとともに、錠剤ケース１００を把持する方の手の指（例えば親指或いは人差し指など）で錠剤取り出しボタン４をケース本体１２内に押し込み操作することにより、片手操作によって、錠剤１０ａを錠剤ケース１００の外部に取り出すことができる。その際、前もって、反対側の手を取出口１１の下方で広げておくことにより、錠剤１０ａを当該反対側の手の平の上に取り出すことができる。
【００５６】
次に、図７を参照して、錠剤１０の取り出しを検出する機構について説明する。
【００５７】
図７（ａ）に示すように、錠剤ケース１００は、錠剤トレイ５が矢印Ａ方向に移動することによって、錠剤トレイ５により矢印Ａ方向に押されて移動する移動部材１５を備えている。移動部材１５は、ケース本体１２に対して相対的に矢印Ａ方向及びＢ方向に移動可能にケース本体１２により保持されている。
移動部材１５は、例えば、第１突起１５ａと第２突起１５ｂとを有する。第１突起１５ａは矢印Ｅ方向に突出し、第２突起１５ｂは矢印Ｄ方向に突出している。
一方、錠剤トレイ５は、矢印Ａ方向に移動する際に第１突起１５ａに対して係合することによって移動部材１５を矢印Ａ方向に移動させる突起状の押圧部５ｆを有している。
【００５８】
更に、錠剤ケース１００は、錠剤トレイ５が上記の第４位置に達するまで矢印Ａ方向に移動したときに、その旨を検出する検出センサ１６を備えている。検出センサ１６は、錠剤トレイ５が上記の第４位置に達するまで矢印Ａ方向に移動したときに、移動部材１５の第２突起１５ｂによって押される検出スイッチ１６ａを有している。検出スイッチ１６ａが押されることにより、検出センサ１６は、錠剤トレイ５が第４位置に達したこと、すなわち、錠剤１０ａが取り出されたことを検出する。検出センサ１６は、例えば、ケース本体１２内に配設された基板１７上に設けられている。
【００５９】
次に、上記のような錠剤１０の取り出し動作に連動して、図７に示す機構によって錠剤１０ａの取り出しを検出する動作の流れを説明する。
【００６０】
先ず、図７（ａ）の状態は、図２及び図５（ｃ）に示す状態と同じ状態である。この状態から、ユーザが、ポケット９に錠剤１０ａを収容及び保持させ、錠剤取り出しボタン４を押圧すると、錠剤トレイ５が錠剤１０ｂにより押されて矢印Ａ方向に移動し、やがて、押圧部５ｆが第１突起１５ａに接触する（図７（ｂ））。
【００６１】
その後、更に錠剤トレイ５が矢印Ａ方向に移動すると、やがて、第２突起１５ｂが検出スイッチ１６ａに接触する（図７（ｃ））。
その後、更に錠剤トレイ５が矢印Ａ方向に移動して第４位置に達すると同時に、検出スイッチ１６ａが第２突起１５ｂにより押される（図７（ｄ））。よって、検出センサ１６は、錠剤トレイ５が第４位置に達したこと、すなわち、錠剤１０ａが取り出される状態となったことを検出する。
なお、図７（ｄ）の状態は、図６（ｃ）の状態と対応している。
【００６２】
一方、ポケット９に錠剤１０が収容及び保持されていないときには、錠剤取り出しボタン４が第１位置から第２位置へ移動しても、錠剤トレイ５は錠剤１０によって押されないため第４位置へは移動しない（図７（ｅ））。このため、検出センサ１６は錠剤トレイ５が第４位置に達したこと（錠剤１０ａが取り出される状態となったこと）を検出しない。
このように、検出センサ１６は、錠剤１０が取り出される状態となった場合にのみ、錠剤１０の取り出しを検出する。
なお、ポケット９に錠剤１０が収容されていない状態で錠剤取り出しボタン４が押し込まれるときに、第１係止部５ｂとスリット４ａとの摩擦によって、錠剤トレイ５が僅かに矢印Ａ方向に移動することはあっても、検出センサ１６によって錠剤トレイ５が第４位置に達したことが検出されることはないようになっている。
【００６３】
ここで、錠剤ケース１００の収容部８に収容される錠剤１０の種類は問わないが、例えば、医師によって患者（ユーザ）に対して処方される薬であることが挙げられる。
例えば、処方箋の記載内容と対応する数の錠剤１０が収容部８に収容された状態で、錠剤ケース１００が患者に渡される。
患者は、医師の指示に従ったタイミングで、上記の取り出し動作を行って錠剤１０を取り出し、取り出した錠剤１０を服用する。
【００６４】
錠剤ケース１００は、検出センサ１６による検出機能を利用して、例えば、飲み忘れ抑制用のアラーム機能（報知機能）を実現したり、錠剤の取り出し履歴情報の記録や当該履歴情報の外部装置への送信を行うことができるようになっている。
【００６５】
錠剤ケース１００の基板１７には、制御回路、メモリ、通信回路、ＬＥＤ等の発光装置等（何れも図示略）が搭載されている。また、錠剤ケース１００は、制御回路、メモリ、通信回路及び発光装置等の動作用の電力を供給する電池２６（図３（ｂ））をケース本体１２内に有している。
検出センサ１６が錠剤１０の取り出しを検出した場合、検出信号が制御回路に入力され、制御回路はその旨を認識する。制御回路は、検出センサ１６からの検出信号の入力等に応じて、メモリ、通信回路及び発光装置の動作制御を行う。
【００６６】
以下、錠剤１０が午前と午後に１錠ずつ服用される薬である場合におけるアラーム機能の例について説明する。
【００６７】
アラームは、例えば、ＬＥＤ等の発光装置を所定の発光態様で発光（例えば点滅など）させることにより行われる。アラーム動作（報知動作）は、錠剤１０を服用すべきタイミングが到来しても錠剤１０の取り出しが検出されなかった場合に開始される。
【００６８】
錠剤１０を服用すべきタイミングは、午前と午後のそれぞれについて、錠剤１０が前回取り出されたタイミングに自動的に設定されるようになっている。
【００６９】
例えば、錠剤１０が処方された日の１８：００に錠剤ケース１００から１個目の錠剤１０が取り出された場合、制御回路は、午後の服用タイミングを１８：００に設定する。すなわち、午後の服用タイミングとして１８：００をメモリに記憶し、翌日の１８：００の到来を監視する。
そして、午後の服用タイミングに関するアラームは、翌日の１８：００が到来しても錠剤１０が取り出されなかった場合に開始される。
そのアラームが継続しているときに、例えば、１８：１０に錠剤１０が取り出されると、制御回路は、アラーム動作（発光動作）を停止させるとともに、午後の服用タイミングを１８：１０に変更する。すなわち、午後の服用タイミングとして１８：１０をメモリに記憶し、翌日の１８：１０の到来を監視する。
また、設定された服用タイミングが到来する前に錠剤１０が取り出された場合も、制御回路は、その取り出しのタイミングを新たな服用タイミングとして設定する。すなわち、例えば、１７：３０に錠剤１０が取り出された場合、午後の服用タイミングを１７：３０に変更する。
このように、患者の生活リズムの変化に応じて服用タイミングを柔軟に設定できるようになっている。
【００７０】
午前についても同様である。例えば、錠剤１０が処方された翌日の８：００に錠剤ケース１００から２個目の錠剤１０が取り出された場合、制御回路は、午前の服用タイミングを８：００に設定する。
そして、午前の服用タイミングに関するアラームは、さらにその翌日の８：００が到来しても錠剤１０が取り出されなかった場合に開始される。
そのアラームが継続しているときに、例えば、８：１５に錠剤１０が取り出されると、制御回路は、アラーム動作を停止させるとともに、午前の服用タイミングを８：１５に変更する。
また、設定された服用タイミングが到来する前に錠剤１０が取り出された場合も、制御回路は、その取り出しのタイミングを新たな服用タイミングとして設定する。
【００７１】
なお、電池２６の消耗をなるべく抑制するために、アラームの継続時間には所定の上限が設定されていることが好ましい。例えば、アラームの継続時間が２時間である場合、１８：１０にアラームが開始された後、２０：１０が到来しても錠剤１０が取り出されなかった場合、アラームを停止させる。
【００７２】
制御回路は、各回の錠剤１０の取り出しタイミングをメモリに記憶保持させる。メモリに記憶された錠剤１０の取り出しタイミングを示す情報（取り出し履歴情報）は、無線通信などによって外部装置に送信可能となっている。例えば、患者が次回の診察時に錠剤ケース１００を看護師又は医者に渡し、看護師又は医者が所定の読み取り装置を錠剤ケース１００から取り出し履歴情報を読み取ることにより、取り出し履歴情報を確認することができる。
【００７３】
以上のような第１の実施形態によれば、錠剤ケース１００は、錠剤１０を複数収容可能な収容部８を有するケース本体１２と、収容部８より１つの錠剤１０を受け容れることが可能なポケット９と、ポケット９内の錠剤１０を外部に取り出すための取出口１１と、を備える。
更に、錠剤ケース１００は、ユーザによりケース本体１２に対して相対的に移動操作されることによってポケット９内の錠剤１０を取出口１１より取り出し不能な状態から取り出し可能な状態に変換させる操作部（例えば錠剤取り出しボタン４及び錠剤トレイ５）と、操作部に対する移動操作に伴いポケット９内の錠剤１０から間接的又は直接的に押圧を受けて移動する移動部（移動部材１５）と、ポケット９内の錠剤１０が取出口１１より取り出し可能となったときと対応する移動部の位置まで移動部が移動したことを検出する検出部（検出センサ１６）とを備える。
よって、錠剤１０を１つずつ取り出すことが可能であり、且つ、錠剤１０が取り出された場合にその旨を検出することができる。
【００７４】
また、操作部は、ポケット９内の錠剤１０を押して取出口１１より取り出し可能な位置まで移動させるようになっており、移動部は、少なくとも錠剤１０を介して操作部により押されて移動するようになっている。そして、操作部が錠剤１０を押す方向と、移動部が押される方向と、が互いに同じ方向（何れも矢印Ａ方向）である。よって、錠剤１０及び移動部の移動の際に、錠剤１０が擦られてしまうことを抑制することができる。よって、錠剤１０に損耗や欠けなどの損傷が発生してしまうことを抑制できる。
【００７５】
操作部は、ポケット９内の錠剤１０を押して取出口１１より取り出し可能な位置まで移動させるようになっており、操作部は、ポケット９内の錠剤１０を押す平坦面（対向面４１）を有している。そして、その平坦面が錠剤１０を押す方向は、平坦面に対して直交する方向となっている。
これにより、操作部において錠剤１０を押す部分（対向面４１）が錠剤１０を擦ったりすることを抑制できるため、錠剤１０に損耗や欠けなどの損傷が発生してしまうことを抑制できる。
【００７６】
より具体的には、例えば、検出部は、検出スイッチ１６ａを有しており、検出スイッチ１６ａが移動部に押されることによって、ポケット９内の錠剤１０が取出口１１より取り出し可能となったときと対応する移動部の位置まで移動部が移動したことを検出する。
そして、操作部が錠剤１０を押す方向と、移動部が検出スイッチ１６ａを押す方向とが互いに同じ方向である。これにより、錠剤１０及び移動部の移動の際に、錠剤１０が擦られてしまうことを抑制することができるので、錠剤１０に損耗や欠けなどの損傷が発生してしまうことを抑制できる。
【００７７】
また、操作部は、ユーザによって直接的又は間接的に移動操作される（例えば直接的に移動操作される）第１部分（錠剤取り出しボタン４）と、第１部分との間にポケット９を形成する第２部分（錠剤トレイ５）と、を有する。
第１部分は、移動操作を受け付ける第１位置と、移動操作による移動後の位置である第２位置と、の間で移動可能とされている。
第２部分は、第１位置にある第１部分との間にポケット９を形成する第３位置と、第２位置にある第１部分との間にポケット９を形成する第４位置と、の間で移動可能とされ、且つ、第１部分に対して相対的に移動可能とされている。
第１部分及び第２部分がそれぞれ第１位置及び第３位置にあるときには、収容部８からポケット９へ錠剤１０を受け容れ可能であるとともに、ポケット９から取出口１１への錠剤１０の移動が規制されるようになっている。
一方、第１部分及び第２部分がそれぞれ第２位置及び第４位置にあるときには、ポケット９内の錠剤１０が取出口１１に臨むとともに錠剤１０が取出口１１へ移動可能となるようになっている。
そして、ポケット９に錠剤１０が収容されている状態において、第１部分が第２位置へ移動操作されることにより、第２部分が錠剤１０を介して第１部分により押されて第４位置へ移動するとともに、当該第２部分の移動に伴う移動部の移動を検出部が検出するようになっている。
ただし、ポケット９に錠剤１０が収容されていない状態においては、第１部分が第２位置へ移動操作されても、第２部分が第４位置まで移動しないようになっている。このため、当該第２部分の移動に伴う移動部の移動が検出部により検出されない。
よって、錠剤ケース１００から錠剤１０を１つずつ取り出すことが可能であり、且つ、錠剤１０が取り出された場合にのみ、錠剤１０が取り出された旨を検出することが可能である。
【００７８】
また、第１位置から第２位置に向けた第１部分の移動操作の方向と、第３位置から第４位置に向けた第２部分の移動方向と、が互いに同じ方向であり、第１部分が第１位置から第２位置へ移動する際に、第１部分と、ポケット９内に保持された錠剤１０と、第２部分と、が互いに一体的に移動する。
よって、第１部分と、ポケット９内に保持された錠剤１０と、第２部分と、が移動する際に、錠剤１０が擦られてしまうことを抑制できるので、錠剤１０に損耗や欠けなどの損傷が発生してしまうことを抑制できる。
【００７９】
また、錠剤ケース１００は、更に、第１部分を第２位置側から第１位置側へ付勢する付勢部（バネ１３）を有している。
そして、付勢部による付勢に従って第１部分が第２位置から第１位置へ移動する際には、第２部分が第１部分に伴って第４位置から第３位置へ移動するが、ポケット９に錠剤１０が収容されていない状態において第１部分が第２位置へ移動操作されても、第２部分が第４位置へ移動しないように、第１部分と第２部分とが相互に連結されている。
このため、第１部分及び第２部分をそれぞれ第２位置及び第４位置へ移動させた後、付勢部による付勢に従って、第１部分及び第２部分をそれぞれ第１位置及び第２位置へ復帰させることができる。
一方、ポケット９に錠剤１０が収容されていない状態では、第１部分が第２位置へ移動されても、第２部分が第４位置へ移動しない。このため、検出部は、第２部分の移動に伴う移動部の移動を検出しない。よって、錠剤１０が取り出された場合にのみ、錠剤１０が取り出された旨を検出することが可能である。
【００８０】
錠剤ケース１００は、更に、第２部分が第４位置へ達した際に、第２部分を保持し、付勢部による付勢に従って第２部分が第３位置へ復帰すること並びに第１部分が第１位置へ復帰することを規制する復帰規制部（係止部１ｆ）と、復帰規制部による第２部分の保持状態を解除する解除操作を行うための解除操作部７と、有する。
このため、錠剤１０が取り出された後、解除操作部７が操作されるまでは、付勢部の付勢に従って自動的に第１部分及び第２部分が第１位置及び第３位置へ復帰してしまうことを規制することができる。
よって、例えば、ユーザの意図に反して子供などが錠剤１０を取り出してしまうことを抑制することができる。
すなわち、復帰規制部及び解除操作部７により、チャイルドレジスタンス（ＣＲ）機能を実現することができる。
【００８１】
また、復帰規制部は、第２部分に対して係合することによって、当該第２部分を保持する。よって、簡易な構成により、チャイルドレジスタンス（ＣＲ）機能を実現することができる。
【００８２】
〔第２の実施形態〕
図８は第２の実施形態に係る錠剤ケース１００を示す図であり、このうち（ａ）は斜視図、（ｂ）は平面図である。なお、図８（ｂ）では、第２筐体部材２を透視させて錠剤ケース１００の内部構造を示している。
図９（ａ）〜（ｃ）及び図１０（ａ）〜（ｃ）は第２の実施形態に係る錠剤ケース１００から錠剤１０を取り出す動作の流れを示す図である。
【００８３】
本実施形態に係る錠剤ケース１００は、以下に説明する点で、上記の第１の実施形態に係る錠剤ケース１００と相違し、その他の点では、上記の第１の実施形態に係る錠剤ケース１００と同様に構成されている。
【００８４】
上記の各実施形態では、錠剤１０の取り出し操作により、ポケット９及びポケット９内の錠剤１０が移動する例を説明した。
これに対し、本実施形態の場合、ポケット９は移動しないように構成されている。そして、錠剤１０の取り出し操作により、ポケット９内の錠剤１０が取出口１１へ移動不能な状態から取出口１１へ移動可能な状態となる。
【００８５】
本実施形態の場合、錠剤ケース１００は、錠剤取り出しボタン４、錠剤トレイ５、解除操作部７、リブ１ｂ（係止部１ｆ等を含む）を有していない。
その代わりに、本実施形態の場合、図８（ｂ）に示すように、錠剤ケース１００は、相対移動部１９と、一対のポケット構成壁部２１と、を有する。
【００８６】
一対のポケット構成壁部２１は、それぞれ矢印Ｄ方向及びＥ方向に延在する平板な壁状部であり、互いに平行に対向している。一対のポケット構成壁部２１は、それぞれ第２筐体部材２における第１筐体部材１側の面（内面）に固定（例えば一体形成）され、ケース本体１２の厚み方向奥側（図８（ｂ）の紙面において奥側）に向けて起立している。
【００８７】
相対移動部１９は、ケース本体１２に対して相対的に矢印Ａ方向及びＢ方向に移動可能に、ケース本体１２に保持（例えば第１筐体部材１に保持）されている。
【００８８】
相対移動部１９は、例えば、平板状の本体部１９ｂと、ユーザによって押される被押圧部１９ａと、遮蔽部１９ｃと、を有する。本体部１９ｂには、被押圧部１９ａ、遮蔽部１９ｃ及び後述するレバー（移動部）２０が一体的に設けられている。
【００８９】
本体部１９ｂは、一対のポケット構成壁部２１の奥（図８（ｂ）の紙面の奥側）に配置され、本体部１９ｂの手前側の面は凹部１ｄと面一に配置されている。
【００９０】
本実施形態の場合、ポケット９は、一対のポケット構成壁部２１と、本体部１９ｂと、第２筐体部材２と、により囲まれた領域によって構成されている。
【００９１】
被押圧部１９ａは、本体部１９ｂにおける矢印Ｂ方向側の端部に設けられ、ケース本体１２の側面１２ａより突出している。
遮蔽部１９ｃは、本体部１９ｂにおける矢印Ｅ方向側の端部において手前側に向けて起立している。遮蔽部１９ｃは、例えば、矢印Ａ方向及びＢ方向に延在する壁状の部分である。
【００９２】
レバー２０は、本体部１９ｂにおける矢印Ａ方向側の端部のうち、矢印Ｄ方向側の端部に連結されている。レバー２０は、本体部１９ｂに対する連結部より、矢印Ｂ方向に延伸している。レバー２０の先端（矢印Ｂ方向側の端部）には、手前側に向けて起立している被押圧部２０ａが形成されている。レバー２０は、被押圧部２０ａがポケット９内の錠剤１０から押圧を受けることにより、矢印Ｄ方向側へ弾性変形し揺動するようになっている。レバー２０における被押圧部２０ａ以外の部分は、本体部１９ｂと同一平面状に配置されており、錠剤１０が収容部８からポケット９へ移動する際に、錠剤１０に干渉しないようになっている。
【００９３】
相対移動部１９は、上記の第１の実施形態において錠剤取り出しボタン４が矢印Ｂ方向に付勢されているのと同様に、バネ１３（図８等では図示略）によって矢印Ｂ方向に付勢されている。ユーザにより被押圧部１９ａが押されていない状態では、相対移動部１９は図８（ｂ）に示す位置に存在するようになっている。この状態では、ポケット９は流出口８ａと図８（ｂ）における上下に並んでいる。
【００９４】
被押圧部１９ａが矢印Ａ方向に押し込み操作されることにより、相対移動部１９がバネ１３の付勢に抗して矢印Ａ方向に移動する（図９（ｂ）、（ｃ）、図１０（ａ））。また、被押圧部１９ａに対する押し込み操作を解除すると、バネ１３の付勢に従って相対移動部１９が図１０（ｃ）、図９（ａ）及び図８（ｂ）に示す位置に復帰する。
【００９５】
以下の説明では、図１０（ｃ）、図９（ａ）及び図８（ｂ）に示される相対移動部１９の位置を、第１位置と称する。第１位置にある相対移動部１９は、ユーザによる移動操作を受け付ける状態となっている。
一方、図１０（ａ）及び図１０（ｂ）に示される相対移動部１９の位置を、第２位置と称する。第２位置は、相対移動部１９に対する移動操作による移動後の位置である。
すなわち、相対移動部１９は、ポケット９に対して相対的に、第１位置と第２位置との間で移動可能となっている。
第１位置は、収容部８からポケット９への錠剤１０の受け容れを許容させるとともに、相対移動部１９の遮蔽部１９ｃによってポケット９と取出口１１とを相互に遮蔽する位置である。つまり、相対移動部１９が第１位置にあるとき、ポケット９内の錠剤１０は取出口１１へ移動できない。
このように、本実施形態の場合、相対移動部１９の被押圧部１９ａがユーザによりケース本体１２に対して相対的に矢印Ａ方向に移動操作される前の、ポケット９内の錠剤１０を取出口１１より取り出し不能な状態（図８）において、ポケット９における矢印Ｅ方向側の端部は、遮蔽部１９ｃにより遮蔽されるようになっている。すなわち、錠剤ケース１００は、操作部（相対移動部１９）が移動操作される前の、ポケット９内の錠剤１０を取出口１１より取り出し不能な状態において、ポケット９及び収容部８を錠剤ケース１００の外部から遮蔽する遮蔽部１９ｃを有する。つまり、遮蔽部１９ｃは、錠剤ケース１００の内部（ポケット９及び収容部８）を外部から遮蔽する。このため、遮蔽部１９ｃによって、錠剤ケース１００の内部（ポケット９及び収容部８）へのゴミやホコリ等の異物の侵入を抑制することができる。
第２位置は、相対移動部１９によって収容部８とポケット９とを相互に遮蔽するとともに、ポケット９内の錠剤１０が取出口１１に臨み、且つ、錠剤１０が取出口１１へ移動可能な位置である。
【００９６】
本実施形態の場合、ポケット９に錠剤１０が収容されている状態において、相対移動部１９が第１位置から第２位置へ移動させられることにより、レバー２０の被押圧部２０ａが錠剤１０により押されることによってレバー２０が揺動する。本実施形態の場合、検出センサ１６は、レバー２０の揺動を検出するように配置されている。
一方、ポケット９に錠剤１０が収容されていない状態においては、相対移動部１９が第１位置から第２位置へ移動させられても、レバー２０が錠剤１０によって押されないため、レバー２０が揺動せず、当該揺動を検出センサ１６が検出しないようになっている。
【００９７】
以下、本実施形態の場合における錠剤１０の取り出し動作を説明する。
【００９８】
先ず、図８（ｂ）に示す状態においては、相対移動部１９が第１位置にあり、収容部８の流出口８ａとポケット９とが図８（ｂ）の上下方向において並んだ状態となっている。
【００９９】
次に、収容部８よりも下側にポケット９が位置するように、錠剤ケース１００を傾ける。これにより、図９（ａ）に示すように、１つの錠剤１０ａをポケット９に受け容れさせ、該ポケット９によって錠剤１０ａを保持させる。このとき、ポケット９における収容部８側とは反対側の端部は、相対移動部１９の遮蔽部１９ｃによって塞がれているため、ポケット９からの錠剤１０の脱落が規制される。
【０１００】
次に、被押圧部１９ａを矢印Ａ方向に押し込むことにより、相対移動部１９の全体を矢印Ａ方向に移動させる（図９（ｂ）、図９（ｃ））。この際、被押圧部２０ａによってポケット９と流出口８ａとが相互に仕切られるとともに、被押圧部２０ａが錠剤１０ａによって押されて図９（ｃ）における上方に揺動する。なお、後続の錠剤１０ｂは被押圧部２０ａに支えられて流出口８ａに保持される。
【０１０１】
その後、相対移動部１９が第２位置に達した状態では、それまでポケット９と取出口１１との間を遮蔽していた遮蔽部１９ｃが取出口１１よりも矢印Ａ方向側に移動した状態となる。すなわち、ポケット９と取出口１１とが相互に連通し、ポケット９内の錠剤１０ａが取出口１１を介して錠剤ケース１００の外部に取り出し可能となる（図１０（ａ））。よって、錠剤１０ａはその自重により、錠剤ケース１００の外部に取り出される（図１０（ｂ））。
【０１０２】
その後、被押圧部１９ａに対する押し込み操作が解除されると、相対移動部１９はバネ１３の付勢に従って矢印Ｂ方向に移動し、第１位置へ復帰する（図１０（ｃ））。
【０１０３】
以上のような第２の実施形態によれば、操作部は、移動操作によって、ポケット９に対して相対的に第１位置から第２位置へ移動させられる相対移動部１９を有している。また、移動部は、相対移動部１９に対して揺動可能に、相対移動部に設けられたレバー２０である。
第１位置は、収容部８からポケット９への錠剤１０の受け容れを許容させるとともに、相対移動部１９によってポケット９と取出口１１とを相互に遮蔽する位置である。第２位置は、移動操作による移動後の位置であり、且つ、相対移動部１９によって収容部８とポケット９とを相互に遮蔽し、ポケット９内の錠剤１０が取出口１１に臨むとともに錠剤１０が取出口１１へ移動可能な位置である。
ポケット９に錠剤１０が収容されている状態において、相対移動部１９が第１位置から第２位置へ移動させられることにより、レバー２０が錠剤１０により押されて揺動し、当該揺動が検出センサ１６により検出される。
一方、ポケット９に錠剤１０が収容されていない状態においては、相対移動部１９が第１位置から第２位置へ移動させられても、レバー２０が揺動せず、当該揺動を検出センサ１６が検出しない。
よって、錠剤１０を１つずつ取り出すことが可能であり、且つ、錠剤１０が取り出された場合にのみその旨を検出することができる。
【０１０４】
なお、上記の第２の実施形態では、検出センサ１６がレバー２０の揺動を検出する例を説明したが、検出センサ１６は、相対移動部１９の本体部１９ｂが図１０（ａ）の位置（第２位置）まで移動したことを検出するようになっていても良い。
【０１０５】
〔第３の実施形態〕
図１１は第３の実施形態に係る錠剤ケース１００を示す図であり、このうち（ａ）及び（ｂ）は錠剤ケース１００の斜視図、（ｃ）は操作部材（錠剤取り出しボタン３１、第２部分３２及び連結部３７からなる）の平面図である。
図１２（ａ）〜（ｄ）は第３の実施形態に係る錠剤ケース１００から錠剤１０を取り出す動作の流れを示す図である。
【０１０６】
本実施形態に係る錠剤ケース１００は、筒状に形成されている。本実施形態の場合、ケース本体１２は、第１筐体部材２８と第２筐体部材２９とを含む複数の部材を相互に組み付けることにより筒状に形成されている。
第１筐体部材２８及び第２筐体部材２９は、それぞれ一端が開口端となっていて、他端が閉塞された、筒状に形成されている。
【０１０７】
図１２（ａ）に示すように、例えば、第１筐体部材２８の開口端側の端部は、第１筐体部材２８におけるそれ以外の部分よりも小径に形成されており、当該端部が第２筐体部材２９の開口端より第２筐体部材２９に挿入されて、第１筐体部材２８と第２筐体部材２９とが相互に組み付けられている。
第１筐体部材２８の内部空間により、筒状の収容部８が形成されている。
一方、第２筐体部材２９の閉塞された端部２９ｂには、取出口１１が形成されている。
【０１０８】
第２筐体部材２９内には、第１通路構成部材３３と第２通路構成部材３４とが設けられており、第１通路構成部材３３と第２通路構成部材３４との間に、収容部８と連通する通路３０が形成されている。収容部８内の錠剤１０は、通路３０を介して後述するポケット９へ案内されるようになっている。
【０１０９】
第２筐体部材２９には、更に、錠剤取り出しボタン（第１部分）３１と、第２部分３２と、錠剤取り出しボタン３１と第２部分３２とを相互に連結する可撓性の連結部３７と、を有する操作部材が設けられている。錠剤取り出しボタン３１、第２部分３２及び連結部３７は、連結部３７が可撓性を持つような適当な弾性率の樹脂材料によって一体成形されている（図１１（ｃ））。
【０１１０】
連結部３７が撓むことにより、錠剤取り出しボタン３１と第２部分３２との対向間隔が可変となっている。
本実施形態の場合、錠剤取り出しボタン３１と第２部分３２との間の空間によりポケット９が構成される。
錠剤取り出しボタン３１において第２部分３２と対向する面（対向面３１ｄ）、並びに、第２部分３２において錠剤取り出しボタン３１と対向する面（対向面３２ｄ）は、それぞれ平坦面となっており、互いに平行に対向できるようになっている。
【０１１１】
上記の第１及び第２の実施形態では、ポケット９内の錠剤１０が移動する際に、錠剤１０の側周面が挟持される例を説明したが、本実施形態の場合、錠剤１０の表裏の面が挟持される。
ここで、通路３０は、収容部８側からポケット９側へ向けて断面積が縮小している。そして、通路３０において図１２（ａ）の状態でポケット９に隣接する部分の断面積は、ポケット９の断面積と同等に設定されている。このため、収容部８内においてランダムな姿勢で収容されている錠剤１０は、通路３０により流下案内されつつ、当該錠剤１０の姿勢がポケット９に収容されるときの姿勢に補正されるようになっている。
【０１１２】
錠剤取り出しボタン３１は、その一部分が第２筐体部材２９の内部に収容され、残りの部分が第２筐体部材２９の側面より、第２筐体部材２９の外方に突出している。錠剤取り出しボタン３１は、図１２（ａ）の矢印Ａ方向及びＢ方向へ第２筐体部材２９に対して相対的に移動可能に、第２筐体部材２９に保持されている。
【０１１３】
錠剤取り出しボタン３１は、第２筐体部材２９の外方に突出した部分を第２筐体部材２９内に向けて（図１２（ａ）の矢印Ａ方向に向けて）押し込み操作可能となっている。錠剤取り出しボタン３１は、その押し込み操作の方向に対する反対方向へバネ１３によって付勢されており、錠剤取り出しボタン３１の押し込み操作は、バネ１３の付勢に抗してなされる。
【０１１４】
錠剤取り出しボタン３１は、図１２（ａ）及び（ｂ）に示される第１位置から、図１２（ｃ）及び（ｄ）に示される第２位置まで押し込み操作可能となっている。
【０１１５】
第２部分３２は、第２筐体部材２９の内部に収容されている。第２部分３２は、錠剤取り出しボタン３１と平行に対向した状態で、矢印Ａ方向及びＢ方向へ第２筐体部材２９に対して相対的に移動可能に、第２筐体部材２９に保持されている。
【０１１６】
ポケット９に錠剤１０が収容されている状態で、錠剤取り出しボタン３１が押し込み操作されると、錠剤１０によって第２部分３２が矢印Ａ方向に押されることにより、第２部分３２は図１２（ａ）及び（ｂ）に示される第３位置から、図１２（ｃ）及び（ｄ）に示される第４位置まで移動するようになっている。
【０１１７】
更に、第２筐体部材２９内には、基板１７が設けられ、基板１７上には、検出センサ１６等が設けられている。基板１７は、第２部分３２よりも矢印Ｂ方向側に配置され、第２部分３２と対向している。検出センサ１６は、例えば、磁気センサなどであり、第２部分３２に設けられた被検出部（移動部）３２ａが図１２（ｃ）及び（ｄ）に示される位置まで検出センサ１６に近接した場合に、その旨を検出する。なお、本実施形態の場合、移動部は、第２部分３２と別体ではなく、第２部分３２の一部分である被検出部３２ａが移動部である。
【０１１８】
本実施形態の場合、錠剤取り出しボタン３１がユーザによりケース本体１２に対して相対的に矢印Ａ方向に移動操作される前の、ポケット９内の錠剤１０を取出口１１より取り出し不能な状態（図１２（ａ））において、ポケット９における通路３０及び収容部８側とは反対側の端部（図１２（ａ）において下側の端部）は、第２筐体部材２９の閉塞された端部２９ｂにより遮蔽されるようになっている。
すなわち、錠剤ケース１００は、操作部（錠剤取り出しボタン３１）が移動操作される前の、ポケット９内の錠剤１０を取出口１１より取り出し不能な状態において、ポケット９及び収容部８を錠剤ケース１００の外部から遮蔽する遮蔽部（端部２９ｂ）を有する。つまり、端部２９ｂは、錠剤ケース１００の内部（ポケット９及び収容部８）を外部から遮蔽する。
このため、端部２９ｂによって、錠剤ケース１００の内部（ポケット９及び収容部８）へのゴミやホコリ等の異物の侵入を抑制することができる。
【０１１９】
以下、本実施形態の場合の動作を説明する。
【０１２０】
先ず、収容部８よりも下側にポケット９が位置するように、錠剤ケース１００の姿勢を調節する（図１２（ａ））。これにより、図１２（ｂ）に示すように、１つの錠剤１０ａが通路３０を介してポケット９に受け容れられ、当該ポケット９によって錠剤１０ａが保持される。このとき、ポケット９における収容部８側とは反対側の端部は、第２筐体部材２９の端面によって塞がれており、ポケット９からの錠剤１０の脱落が規制される。
【０１２１】
次に、錠剤取り出しボタン３１を矢印Ａ方向に押し込む（図１２（ｃ）、（ｄ））。この際、錠剤取り出しボタン３１と、ポケット９内の錠剤１０ａと、第２部分３２とが一体的に矢印Ａ方向に移動する。なお、ポケット９内の錠剤１０ａの厚み方向の両面が対向面３１ｄ及び３２ｄ（図１１（ｃ））により挟持されるので、錠剤１０ａの損傷がより好適に抑制される。
このとき、錠剤取り出しボタン３１によって通路３０とポケット９とが相互に仕切られるため、後続の錠剤１０ｂは錠剤取り出しボタン３１に支えられて通路３０に保持される。
【０１２２】
そして、錠剤取り出しボタン３１及び第２部分３２がそれぞれ第２位置及び第４位置に達するまで錠剤取り出しボタン３１を矢印Ａ方向に押し込むことにより、ポケット９内の錠剤１０ａが、取出口１１に臨んだ状態となる。このとき、第２部分３２が第４位置に移動したことが検出センサ１６により検出される。そして、錠剤取り出しボタン３１に対する押し込み操作を解除することにより、錠剤１０ａは、その自重によって、ポケット９から取出口１１を介して流下ないしは落下し、錠剤ケース１００の外部に取り出される（図１２（ｄ））。
【０１２３】
なお、錠剤取り出しボタン３１は、その後、バネ１３の付勢に従って、第１位置（図１２（ａ）、（ｂ）参照）に復帰する。このとき、第２部分３２は、連結部３７を介して錠剤取り出しボタン３１により牽引されて、第３位置（図１２（ａ）、（ｂ）参照）に復帰する。
【０１２４】
また、ポケット９に錠剤１０が収容されていない状態においては、錠剤取り出しボタン３１が第２位置へ移動操作されても、連結部３７が撓むとともに錠剤取り出しボタン３１と第２部分３２との対向間隔が縮み、第２部分３２が第４位置まで移動しない。このため、第２部分３２の移動に伴う被検出部３２ａの移動が検出センサ１６により検出されない。
【０１２５】
以上のような第３の実施形態によっても、第１の実施形態と同様の効果が得られる。
【０１２６】
すなわち、錠剤ケース１００は、錠剤１０を複数収容可能な収容部８を有するケース本体１２と、収容部８より１つの錠剤１０を受け容れることが可能なポケット９と、ポケット９内の錠剤１０を外部に取り出すための取出口１１と、を備える。
更に、錠剤ケース１００は、ユーザによりケース本体１２に対して相対的に移動操作されることによってポケット９内の錠剤１０を取出口１１より取り出し不能な状態から取り出し可能な状態に変換させる操作部（例えば錠剤取り出しボタン３１及び第２部分３２）と、操作部に対する移動操作に伴いポケット９内の錠剤１０から間接的又は直接的に押圧を受けて移動する移動部（被検出部３２ａ）と、ポケット９内の錠剤１０が取出口１１より取り出し可能となったときと対応する移動部の位置まで移動部が移動したことを検出する検出部（検出センサ１６）とを備える。
よって、錠剤１０を１つずつ取り出すことが可能であり、且つ、錠剤１０が取り出された場合にその旨を検出することができる。
【０１２７】
また、操作部は、ポケット９内の錠剤１０を押して取出口１１より取り出し可能な位置まで移動させるようになっており、移動部は、少なくとも錠剤１０を介して操作部により押されて移動するようになっている。そして、操作部が錠剤１０を押す方向と、移動部が押される方向と、が互いに同じ方向（何れも矢印Ａ方向）である。よって、錠剤１０及び移動部の移動の際に、錠剤１０が擦られてしまうことを抑制することができる。よって、錠剤１０に損耗や欠けなどの損傷が発生してしまうことを抑制できる。
【０１２８】
操作部は、ポケット９内の錠剤１０を押して取出口１１より取り出し可能な位置まで移動させるようになっており、操作部は、ポケット９内の錠剤１０を押す平坦面（対向面３１ｄ）を有している。そして、その平坦面が錠剤１０を押す方向は、平坦面に対して直交する方向となっている。
これにより、操作部において錠剤１０を押す部分（対向面３１ｄ）が錠剤１０を擦ったりすることを抑制できるため、錠剤１０に損耗や欠けなどの損傷が発生してしまうことを抑制できる。
【０１２９】
また、操作部は、ユーザによって直接的又は間接的に移動操作される第１部分（錠剤取り出しボタン３１）と、第１部分との間にポケット９を形成する第２部分３２と、を有する。
第１部分は、移動操作を受け付ける第１位置と、移動操作による移動後の位置である第２位置と、の間で移動可能とされている。
第２部分３２は、第１位置にある第１部分との間にポケット９を形成する第３位置と、第２位置にある第１部分との間にポケット９を形成する第４位置と、の間で移動可能とされ、且つ、第１部分に対して相対的に移動可能とされている。
第１部分及び第２部分３２がそれぞれ第１位置及び第３位置にあるときには、収容部８からポケット９へ錠剤１０を受け容れ可能であるとともに、ポケット９から取出口１１への錠剤１０の移動が規制されるようになっている。
一方、第１部分及び第２部分３２がそれぞれ第２位置及び第４位置にあるときには、ポケット９内の錠剤１０が取出口１１に臨むとともに当該錠剤１０が取出口１１へ移動可能となるようになっている。
そして、ポケット９に錠剤１０が収容されている状態において、第１部分が第２位置へ移動操作されることにより、第２部分３２が錠剤１０を介して第１部分により押されて第４位置へ移動するとともに、当該第２部分３２の移動に伴う移動部の移動を検出センサ１６が検出するようになっている。
ただし、ポケット９に錠剤１０が収容されていない状態においては、第１部分が第２位置へ移動操作されても、第２部分３２が第４位置まで移動しないようになっている。このため、第２部分３２の移動に伴う移動部の移動が検出部により検出されない。
よって、錠剤ケース１００から錠剤１０を１つずつ取り出すことが可能であり、且つ、錠剤１０が取り出された場合にのみ、錠剤１０が取り出された旨を検出することが可能である。
【０１３０】
また、第１位置から第２位置に向けた第１部分の移動操作の方向と、第３位置から第４位置に向けた第２部分３２の移動方向と、が互いに同じ方向であり、第１部分が第１位置から第２位置へ移動する際に、第１部分と、ポケット９内に保持された錠剤１０と、第２部分３２と、が互いに一体的に移動する。
よって、第１部分と、ポケット９内に保持された錠剤１０と、第２部分３２と、が移動する際に、錠剤１０が擦られてしまうことを抑制できるので、錠剤１０に損耗や欠けなどの損傷が発生してしまうことを抑制できる。
【０１３１】
また、錠剤ケース１００は、更に、第１部分を第２位置側から第１位置側へ付勢する付勢部（バネ１３）を有している。
そして、付勢部による付勢に従って第１部分が第２位置から第１位置へ移動する際には、第２部分３２が第１部分に伴って第４位置から第３位置へ移動するが、ポケット９に錠剤１０が収容されていない状態において第１部分が第２位置へ移動操作されても、第２部分３２が第４位置へ移動しないように、第１部分と第２部分３２とが相互に連結されている。
このため、第１部分及び第２部分３２をそれぞれ第２位置及び第４位置へ移動させた後、付勢部による付勢に従って、第１部分及び第２部分３２をそれぞれ第１位置及び第２位置へ復帰させることができる。
一方、ポケット９に錠剤１０が収容されていない状態では、第１部分が第２位置へ移動されても、第２部分３２が第４位置へ移動しないようになっている。このため、検出部は、第２部分３２の移動に伴う移動部の移動を検出しない。よって、錠剤１０が取り出された場合にのみ、錠剤１０が取り出された旨を検出することが可能である。
【０１３２】
また、第１部分と第２部分３２とは、可撓性の連結部３７を介して相互に連結されており、ポケット９に錠剤１０が収容されていない状態において、第１部分が第２位置へ移動操作されると、連結部３７が変形するとともに第１部分と第２部分３２との距離が縮まることにより、第２部分３２が第４位置まで移動せず、当該第２部分３２の移動に伴う移動部の移動が検出部により検出されないように、錠剤ケース１００は構成されている。よって、錠剤１０が取り出された場合にのみ、錠剤１０が取り出された旨を検出する構成を容易に実現できる。
一方、第２部分３２が第４位置にある状態から、第１部分が第２位置から第１位置へ移動する際には、第１部分が連結部３７を介して第２部分３２を牽引することにより第２部分３２が第４位置から第３位置へ移動する。よって、第１部分が第１位置へ復帰する動作に連動させて、第２部分３２を第３位置へ復帰させることができる。
【０１３３】
なお、本実施形態の場合も、検出センサ１６は、磁気センサではなく、上記の第１の実施形態と同様に検出スイッチ１６ａを有するタイプのものであっても良い。
【０１３４】
また、本実施形態の場合も、上記の第１の実施形態と同様に、復帰規制部と解除操作部とを有していることが好ましい。
【０１３５】
〔第４の実施形態〕
図１３は第４の実施形態に係る錠剤ケース１００を示す斜視図である。
図１４（ａ）〜（ｄ）は第４の実施形態に係る錠剤ケース１００から錠剤１０を取り出す動作の流れを示す図である。
【０１３６】
本実施形態に係る錠剤ケース１００は、以下に説明する点で、上記の第３の実施形態に係る錠剤ケース１００と相違し、その他の点では、上記の第３の実施形態に係る錠剤ケース１００と同様に構成されている。
【０１３７】
本実施形態の場合、錠剤ケース１００は、取出口１１を塞いだ状態（第１状態）と取出口１１を外部に連通させる状態（第２状態）とに変換可能な開閉蓋３５を有する。すなわち、開閉蓋３５は、軸支部３６において第２筐体部材２９に対して軸支され、第２筐体部材２９の閉塞した端部を覆う状態（第１状態）、と覆わない状態（第２状態）とに変換可能となっている。
【０１３８】
開閉蓋３５は、第２筐体部材２９の閉塞した端部を覆うことが可能な円板状の本体部３５ａと、軸支部３６にて軸支された被軸支部３５ｂと、本体部３５ａにおける被軸支部３６ｂ側とは反対側の端部に形成されたフック状の係止部３５ｃと、を有する。
【０１３９】
第２筐体部材２９には、開閉蓋３５が閉じた状態で、係止部３５ｃが係止される被係止部２９ａが形成されている。係止部３５ｃが被係止部２９ａに対して係止されることによって、開閉蓋３５は閉じた状態（第１状態）に維持されるようになっている。
【０１４０】
また、第２部分３２は、矢印Ａ方向に突出した係止解除部３２ｃを有している。第２部分３２が図１４（ｃ）及び（ｄ）に示す第４位置に移動することにより、係止解除部３２ｃが係止部３５ｃを矢印Ａ方向に突いて、被係止部２９ａに対する係止部３５ｃの係合状態が解除されるようになっている。
なお、錠剤ケース１００は、開閉蓋３５を開方向に付勢する図示しないねじりバネなどの付勢部を有していても良い。その場合、被係止部２９ａに対する係止部３５ｃの係合状態が解除されることにより、開閉蓋３５が付勢部によって付勢されて開く（第２状態となる）。
【０１４１】
本実施形態の場合も、錠剤取り出しボタン３１がユーザによりケース本体１２に対して相対的に矢印Ａ方向に移動操作される前の、ポケット９内の錠剤１０を取出口１１より取り出し不能な状態（図１４（ａ））において、ポケット９における通路３０及び収容部８側とは反対側の端部（図１４（ａ）において下側の端部）は、第２筐体部材２９の閉塞された端部２９ｂにより遮蔽されるようになっている。
すなわち、錠剤ケース１００は、操作部（錠剤取り出しボタン３１）が移動操作される前の、ポケット９内の錠剤１０を取出口１１より取り出し不能な状態において、ポケット９及び収容部８を錠剤ケース１００の外部から遮蔽する遮蔽部（端部２９ｂ）を有する。つまり、端部２９ｂは、錠剤ケース１００の内部（ポケット９及び収容部８）を外部から遮蔽する。
このため、端部２９ｂによって、錠剤ケース１００の内部（ポケット９及び収容部８）へのゴミやホコリ等の異物の侵入を抑制することができる。
【０１４２】
以下、本実施形態の場合の動作を説明する。
【０１４３】
先ず、収容部８よりも下側にポケット９が位置するように、錠剤ケース１００の姿勢を調節する（図１４（ａ））。これにより、図１４（ｂ）に示すように、１つの錠剤１０ａが通路３０を介してポケット９に受け容れられ、当該ポケット９によって錠剤１０ａが保持される。このとき、ポケット９における収容部８側とは反対側の端部は、第２筐体部材２９の端面によって塞がれており、ポケット９からの錠剤１０の脱落が規制される。ここまでの動作は、第３の実施形態と同様である。
【０１４４】
次に、錠剤取り出しボタン３１を矢印Ａ方向に押し込む（図１４（ｃ）、（ｄ））。このとき、係止解除部３２ｃによって、被係止部２９ａに対する係止部３５ｃの係合状態が解除されるので、開閉蓋３５が開くことができる。
【０１４５】
錠剤取り出しボタン３１及び第２部分３２がそれぞれ第２位置及び第４位置に達するまで錠剤取り出しボタン３１を矢印Ａ方向に押し込むことにより、ポケット９内の錠剤１０ａが、取出口１１に臨んだ状態となる。このとき、第２部分３２が第４位置に移動したことが検出センサ１６により検出される。そして、錠剤取り出しボタン３１に対する押し込み操作を解除することにより、錠剤１０ａは、その自重によって、ポケット９から取出口１１を介して流下ないしは落下し、錠剤ケース１００の外部に取り出される（図１４（ｄ））。
【０１４６】
錠剤取り出しボタン３１は、その後、バネ１３の付勢に従って、第１位置（図１４（ａ）、（ｂ）参照）に復帰する。このとき、第２部分３２は、連結部３７を介して錠剤取り出しボタン３１により牽引されて、第３位置（図１４（ａ）、（ｂ）参照）に復帰する。
【０１４７】
また、ポケット９に錠剤１０が収容されていない状態においては、錠剤取り出しボタン３１が第２位置へ移動操作されても、連結部３７が撓むとともに錠剤取り出しボタン３１と第２部分３２との対向間隔が縮み、第２部分３２が第４位置まで移動しない。このため、第２部分３２の移動に伴う被検出部３２ａの移動が検出センサ１６により検出されない。また、係止部３５ｃが係止解除部３２ｃによって突かれないので、被係止部２９ａに対する係止部３５ｃの係合状態が維持され、開閉蓋３５は閉じた状態に維持される。
【０１４８】
以上のような第４の実施形態によれば、錠剤ケース１００は、取出口１１を外部から遮蔽した第１状態と、取出口１１を外部に連通させる第２状態と、に変換可能な開閉蓋３５と、開閉蓋３５に対して係合することによって開閉蓋３５を第１状態に維持させる係合機構（係止部３５ｃ及び被係止部２９ａ）と、を備える。そして、第２部分３２は、第４位置に移動することにより、係合機構の係合状態を解除させて、開閉蓋３５を第２状態へ変換可能とさせるようになっている。
よって、錠剤１０の取り出し時以外には取出口１１を外部から保護するといったことが可能となるため、取出口１１を清浄な状態に維持させることができる。また、錠剤１０の取り出し動作に連動させて、開閉蓋３５が第２状態へ変換可能となる。
【０１４９】
上記の各実施形態における各構成要素は、必ずしも個々に独立した存在である必要はない。複数の構成要素が一個の部材として形成されていても良いし、一つの構成要素が複数の部材で形成されていても良いし、ある構成要素が他の構成要素の一部であっても良いし、ある構成要素の一部と他の構成要素の一部とが重複していても良い。
例えば、第１の実施形態では、錠剤トレイ（第２部分）５とは別体の移動部材１５が移動部である例を説明したが、錠剤トレイ（第２部分）５の一部分が移動部であっても良い。
【０１５０】
また、上記の各実施形態では、操作部の第１部分がユーザにより直接的に移動操作される例を説明したが、操作部の第１部分はユーザにより間接的に移動操作されるようになっていても良い。すなわち、操作部の第１部分は、ユーザにより直接操作される部材によって押されることによって移動するようになっていても良い。
【０１５１】
この出願は、２０１４年９月１７日に出願された日本出願特願２０１４−１８８５２０号を基礎とする優先権を主張し、その開示の全てをここに取り込む。
【図１】
2016042887.tif 000003
【図２】
2016042887.tif 000004
【図３】
2016042887.tif 000005
【図４】
2016042887.tif 000006
【図５】
2016042887.tif 000007
【図６】
2016042887.tif 000008
【図７】
2016042887.tif 000009
【図８】
2016042887.tif 000010
【図９】
2016042887.tif 000011
【図１０】
2016042887.tif 000012
【図１１】
2016042887.tif 000013
【図１２】
2016042887.tif 000014
【図１３】
2016042887.tif 000015
【図１４】
2016042887.tif 000016
【国際調査報告】
2016042887.tif 000017
2016042887.tif 000018
2016042887.tif 000019
2016042887.tif 000020